(57)【要約】      （修正有）【課題】てこ棒と滑車を組み合わせて電動の力で動く様にする電動エンジンを提供する。【解決手段】てこ棒の軸は引き上げると回転し引き下げると空回転できる様にする。これで軸の回転運動ができる。てこ棒の先端に動滑車を取り付け、真上に空間をとり定滑車を取り付ける。定滑車と動滑車にワイヤーロープを取り付け、定滑車に掛けたワイヤーロープを右のクランクシャフトに取り付け左のクランクシャフトに別の定滑車のワイヤーロープを取り付ける。このクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができる。この軸の大きな回転力で発電機を回転させて発電し、発電した電気をバッテリーに充電する。充電したバッテリーの電気で直流モーターを回転させ、この大きな回転力を動力源にする。【選択図】図１
0003174526.tif 000002
【実用新案登録請求の範囲】
【請求項１】
同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができるこの軸の大きな回転力で発電機を回転させて発電する発電した電気をバッテリーに充電する充電したバッテリーの電気で直流モーターを回転させる又この大きな回転力を動力源にする。
「以上の構成からなることを特徴とするてこ棒と滑車を組み合わせた電動エンジン。」
【考案の詳細な説明】
【技術分野】
【０００１】  本考案は、てこ棒と滑車を組み合わせ回転運動ができる様にする事でてこ棒の力と滑車の力が組み合わさり軸に大きな回転力が生まれるため電動の力で動力を生み出すことができる。
【背景技術】
【０００２】  従来から、てこの力、滑車の力を利用したものは多くあるがいずれも単独の利用であり、てこ棒と滑車を組み合わせて回転運動させたものは見当たらない。
【課題を解決するための手段】
【０００３】  同じ長さのてこ棒を二本使用するてこ棒の軸は引き上げると回転し引き下げると空回転できる様にするこれで軸の回転運動ができるてこ棒の先端に動滑車を取り付ける真上に空間をとり定滑車を取り付ける定滑車と動滑車にワイヤーロープを取り付ける定滑車に掛けたワイヤーロープを右のクランクシャフトに取り付け左のクランクシャフトに別の定滑車のワイヤーロープを取り付けるこのクランクシャフトを直流モーターで回転させる事でクランクシャフトが定滑車のワイヤーロープを左右交互に引き上げ引き下げを繰り返すことで定滑車のワイヤーロープが動滑車を上下運動をさせててこ棒の軸の回転運動ができるこの軸の大きな回転力で発電機を回転させて発電する発電した電気をバッテリーに充電する充電したバッテリーの電気で直流モーターを回転させる又この大きな回転力を動力源にする。
「以上の構成からなることを特徴とするてこ棒と滑車を組み合わせた電動エンジン。」
【図面の簡単な説明】
【０００４】
【図１】  全体図  てこ棒と滑車を組み合わせ回転運動ができる様にすることでてこ棒の力と滑車の力が組み合わされてこ棒の軸に大きな回転力が生まれるために動力で動かすことができる様にした工程図。
【符号の説明】１てこ棒
２てこ棒の軸
３引き上げると回転
４引き下げると空回転
５ワイヤーロープ
６定滑車
７動滑車
８右のクランクシャフト
９左のクランクシャフト
１０回転
１１車輪
１２クランクシャフト
１３直流モーター
１４発電機
１５バッテリー
１６バッテリーに充電
１７上下運動
１８動力
１９バッテリーの電気で直流モーターを回転させる
【図１】
0003174526.tif 000003
【手続補正書】
【提出日】平成24年1月3日(2012.1.3)
【手続補正１】
【補正対象書類名】実用新案登録請求の範囲
【補正対象項目名】全文
【補正方法】変更
【補正の内容】
【実用新案登録請求の範囲】
【請求項１】
（１）太陽光発電パネルを取り付ける、太陽光で発電した電気を常時バッテリーに充電できるようにする、
（２）同じ長さの、てこ棒を二本、使用する、てこ棒の軸（支点）はてこ棒の先端を引き上げると、てこ棒の軸が回転し、てこ棒の先端を引き下げると、てこ棒の軸が空回転できるようにする、これで、てこ棒の軸（支点）の回転運動ができる、
（３）左右の、てこ棒の先端に動滑車を取り付ける、真上に空間をとり左右に定滑車を取り付ける、左右の定滑車と動滑車に力がだせるようにして、ワイヤーロープを取り付ける、
（４）右の定滑車に掛けたワイヤーロープを右のクランクシャフトの先端に取り付ける、左の定滑車に掛けたワイヤーロープを左のクランクシャフトの先端に取り付ける、このクランクシャフトを直流モーターで回転させることで、右のクランクシャフトが右の定滑車のワイヤーロープを引き上げ、左のクランクシャフトが左の定滑車のワイヤーロープを、引き下げることで、左右交互に定滑車のワイヤーロープを、引き上げ、引き下げを繰り返すことで、動滑車がてこ棒の先端を上下運動させ、てこ棒の軸の回転運動ができる、この組み合わせで、てこ棒の力と滑車の力が組み合わされて、てこ棒の軸に大きな回転力が生まれる、この大きな回転力を動力源にして、車を走らせる、
（５）夜間、太陽光発電が発電しないために、発電機を取り付け、てこ棒の軸の大きな回転力で発電機を回転させて発電する、発電した電気を常時バッテリーに充電できるようにする、又、外部よりバッテリーに充電ができるように、充電器を取り付ける、
以上（１）（２）（３）（４）（５）の構成からなることを特徴とする電動エンジン。
【手続補正２】
【補正対象書類名】明細書
【補正対象項目名】全文
【補正方法】変更
【補正の内容】
【考案の詳細な説明】
【技術分野】
【０００１】本考案は、太陽光発電と、てこ棒の力と滑車の力を組み合わせててこ棒の軸（支点）の回転運動をさせることで、てこ棒の力と滑車の力が組み合わされて、てこ棒の軸（支点）に大きな回転力が生まれるために、この力を動力にすることで、電動の力で車を走らせることができる。
【背景技術】
【０００２】従来より、自動車は、ガソリンエンジンが、主力であり、電動エンジンで走る車は見当たらない。
【考案の概要】
【考案を解決するための手段】
【０００３】（１）太陽光発電パネルを取り付ける、太陽光で発電した電気を常時バッテリーに充電できるようにする、
（２）同じ長さの、てこ棒を二本、使用する、てこ棒の軸（支点）はてこ棒の先端を引き上げると、てこ棒の軸が回転し、てこ棒の先端を引き下げると、てこ棒の軸が空回転できるようにする、これで、てこ棒の軸（支点）の回転運動ができる、
（３）左右の、てこ棒の先端に動滑車を取り付ける、真上に空間をとり左右に定滑車を取り付ける、左右の定滑車と動滑車に力がだせるようにして、ワイヤーロープを取り付ける、
（４）右の定滑車に掛けたワイヤーロープを右のクランクシャフトの先端に取り付ける、左の定滑車に掛けたワイヤーロープを左のクランクシャフトの先端に取り付ける、このクランクシャフトを直流モーターで回転させることで、右のクランクシャフトが右の定滑車のワイヤーロープを引き上げ、左のクランクシャフトが左の定滑車のワイヤーロープを、引き下げることで、左右交互に定滑車のワイヤーロープを、引き上げ、引き下げを繰り返すことで、動滑車がてこ棒の先端を上下運動させ、てこ棒の軸の回転運動ができる、この組み合わせで、てこ棒の力と滑車の力が組み合わされて、てこ棒の軸に大きな回転力が生まれる、この大きな回転力を動力源にして、車を走らせる、
（５）夜間、太陽光発電が発電しないために、発電機を取り付ける、てこ棒の軸の大きな回転力で発電機を回転させて発電する発電した電気を常時バッテリーに充電できるようにする、又、外部より充電ができるように、充電器を取り付ける、
以上（１）（２）（３）（４）（５）の構成からなることを特徴とする電動エンジン。
【図面の簡単な説明】
【０００４】
【図１】  全体図  太陽光発電と、てこ棒と滑車の力を組み合わせて、てこ棒の軸を回転運動させることで、てこ棒の軸に大きな回転力を生み出すこの回転力で発電機を回転させて発電する、発電した電気をバッテリーに充電する、又、電動エンジンの力を動力源にして車を走らせる事ができるようにした、全体図。
【符号の説明】
【０００５】▲１▼太陽光発電パネル            ▲２０▼動力で車を走らせる
▲２▼バッテリーに充電
▲３▼引き上げると回転
▲４▼引き下げると空回転
▲５▼ワイヤーロープ
▲６▼定滑車
▲７▼動滑車
▲８▼右のクランクシャフト
▲９▼左のクランクシャフト
▲１０▼回転
▲１１▼車輪
▲１２▼クランクシャフト
▲１３▼直流モーター
▲１４▼発電機
▲１５▼バッテリー
▲１６▼バッテリーに充電
▲１７▼上下運動
▲１８▼充電器
▲１９▼バッテリーの電気で直流モーターを回転させる
【手続補正３】
【補正対象書類名】図面
【補正対象項目名】全図
【補正方法】変更
【補正の内容】
【図１】
0003174526.tif 000004